(57)【要約】      （修正有）【課題】吐出器の見た目に面白みを持たせることにより、多くの消費者にとっって親しみ深い吐出器を提供する。【解決手段】吐出器１は、一軸に沿った第１方向への押圧操作によって液状物を吐出可能に構成されている。吐出器は、可動部４３と、押圧操作に伴う力を可動部に伝達する可撓性の長尺体４１と、一軸に沿って延び、径方向の外側を向いた外周面を有する第１筒状部２２と、外周面に対向し、押圧操作に伴って第１方向に移動する規制部３４ａと、を具備する。長尺体は、外周面に支持された支持部４１ａと、支持部と可動部との間に位置する中間部４１ｃと、を有する。中間部は、押圧操作前に支持部よりも径方向の外側に位置し、押圧操作後に支持部よりも第１方向側において外周面と規制部との間に挟まれる。【選択図】図６
0003225302.tif 000002
【実用新案登録請求の範囲】
【請求項１】
一軸に沿った第１方向への押圧操作によって液状物を吐出可能に構成された吐出器であって、
可動部と、前記押圧操作に伴う力を前記可動部に伝達する可撓性の長尺体と、前記一軸に沿って延び、径方向の外側を向いた外周面を有する第１筒状部と、前記外周面に対向し、前記押圧操作に伴って前記第１方向に移動する規制部と、を具備し、
前記長尺体は、前記外周面上に支持された支持部と、前記支持部と前記可動部との間に位置する中間部と、を有し、
前記中間部は、前記押圧操作前に前記支持部よりも前記径方向の外側に位置し、前記押圧操作後に前記支持部よりも前記第１方向側において前記外周面と前記規制部との間に挟まれる
吐出器。
【請求項２】
請求項１に記載の吐出器であって、
前記第１筒状部の外周面に対向する第２筒状部を更に具備し、
前記規制部は、前記第２筒状部の前記第１方向の端部に設けられている
吐出器。
【請求項３】
請求項１又は２に記載の吐出器であって、
前記押圧操作に伴って前記長尺体が前記可動部に対して前記第１方向とは反対の第２方向の力を付与する
吐出器。
【請求項４】
請求項１又は２に記載の吐出器であって、
前記押圧操作に伴って前記長尺体が前記可動部に対して前記第１方向の力を付与する
吐出器。
【請求項５】
請求項１から４のいずれか１項に記載の吐出器であって、
前記押圧操作に連動せず、前記可動部とともに仕掛けユニットを構成する本体部を更に具備する
吐出器。
【考案の詳細な説明】
【技術分野】
【０００１】
本考案は、液状物を吐出可能な吐出器に関する。
【背景技術】
【０００２】
ボディーウォッシュなどといった液状物を泡として吐出可能な吐出器が広く利用されている。このような吐出器は、操作が非常に簡単であるため、小さな子供にまで広く親しまれている。このため、吐出器では、子供が喜ぶような面白い機能を持たせることにより、商品価値の向上を図れるものと考えられる。
【０００３】
特許文献１，２には、吐出部の構成の工夫によって、特殊な形状の泡を吐出可能な吐出器が開示されている。具体的に、特許文献１に記載の吐出器は、小熊の顔を模した形状の泡を吐出することができる。また、特許文献２に記載の吐出器は、泡吐出に伴いパンダの顔を浮き上がって見せることができる。
【先行技術文献】
【特許文献】
【０００４】
【特許文献１】特開２０１０−１４９０６０号公報
【特許文献２】特開２０１７−０８１６３２号公報
【考案の概要】
【考案が解決しようとする課題】
【０００５】
吐出器には、商品価値の更なる向上のために、他の観点からも面白さを追求する余地が残されているものと考えられる。特に、本願の考案者は、吐出器自体の見た目に面白みを持たせることにより、多くの消費者にとって更に親しみ深い吐出器を提供することができるものと考えた。
【０００６】
本考案の課題は、吐出器の見た目に面白みを持たせる技術に関する。
【課題を解決するための手段】
【０００７】
本考案の一形態に係る吐出器は、一軸に沿った第１方向への押圧操作によって液状物を吐出可能に構成されている。
上記吐出器は、可動部と、上記押圧操作に伴う力を上記可動部に伝達する可撓性の長尺体と、上記一軸に沿って延び、径方向の外側を向いた外周面を有する第１筒状部と、上記外周面に対向し、上記押圧操作に伴って上記第１方向に移動する規制部と、を具備する。
上記長尺体は、上記外周面上に支持された支持部と、上記支持部と上記可動部との間に位置する中間部と、を有する。
上記中間部は、上記押圧操作前に上記支持部よりも上記径方向の外側に位置し、上記押圧操作後に上記支持部よりも上記第１方向側において上記外周面と上記規制部との間に挟まれる。
【考案の効果】
【０００８】
本考案によれば、吐出器の見た目に面白みを持たせることができる。
【図面の簡単な説明】
【０００９】
【図１】本考案の第１の実施形態に係る吐出器の側面図である。
【図２】上記吐出器の正面図である。
【図３】上記吐出器の仕掛けユニットの本体部の平面図である。
【図４】上記吐出器の仕掛けユニットの可動部の平面図である。
【図５】上記吐出器の仕掛けユニットの正面図である。
【図６】上記吐出器の押圧操作後の状態を示す側面図である。
【図７】上記吐出器の押圧操作後の仕掛けユニットの正面図である。
【図８】上記吐出器の押圧操作後の状態を示す正面図である。
【図９】本考案の第２の実施形態に係る吐出器の側面図である。
【図１０】上記吐出器の正面図である。
【図１１】上記吐出器の仕掛けユニットの背面図である。
【図１２】上記吐出器の押圧操作後の状態を示す側面図である。
【図１３】上記吐出器の押圧操作後の仕掛けユニットの背面図である。
【図１４】上記吐出器の押圧操作後の状態を示す正面図である。
【考案を実施するための形態】
【００１０】
以下、図面を参照しながら、本考案の実施形態について説明する。なお、本明細書及び図面では、実質的に同一の構成について同一の符号を付することにより重複説明を省略する。また、各図には、全図において共通の、相互に直交するＸ軸、Ｙ軸、及びＺ軸が示されている。以下の説明では、Ｚ軸が鉛直方向を向いているものとする。
【００１１】
＜第１の実施形態＞
［吐出器１の全体構成］
図１及び図２を参照して、本考案の第１の実施形態に係る吐出器１の全体構成を説明する。吐出器１は、収容部１０と、ジョイント部２０と、ヘッド部３０と、を備える。図１及び図２では、説明の便宜上、吐出器１におけるジョイント部２０の一部及びヘッド部３０を破断した縦断面として示している。
【００１２】
収容部１０は、Ｚ軸方向上方に向けて開放された口部を有する中空の容器である。収容部１０は、その内部空間に吐出器１が泡として吐出する液体である液状物を収容する。ジョイント部２０及びヘッド部３０は、収容部１０内の液状物を泡として吐出可能なディスペンサとして構成される。
【００１３】
ジョイント部２０は、キャップ部２１と第１筒状部２２とを有する。キャップ部２１は、収容部１０の口部に螺合されている。これにより、キャップ部２１は、収容部１０をＺ軸方向上方から閉塞するとともに、ジョイント部２０及びヘッド部３０を収容部１０に固定している。
【００１４】
第１筒状部２２は、キャップ部２１よりも小径の円筒状に形成され、ＸＹ平面に沿った径方向の外側を向いた外周面２２ａを含む。第１筒状部２２は、キャップ部２１の径方向の中央部からＺ軸方向上方に延びる。第１筒状部２２は、Ｚ軸方向上下方向に貫通し、収容部１０の内部空間と連通する貫通孔を形成している。
【００１５】
ヘッド部３０は、頂部３１と、管状部３２と、ノズル部３３と、を有する。頂部３１は、使用者からのＺ軸方向下方への押圧操作を受けるヘッド部３０のＺ軸方向上面を構成する。管状部３２は、頂部３１からＺ軸方向下方に延びる。ノズル部３３は、頂部３１からＸ軸方向前方に延びる。
【００１６】
ノズル部３３の先端には、液状物を吐出する吐出口Ｄが設けられている。管状部３２及びノズル部３３には、第１筒状部２２と吐出口Ｄとを接続する流路３２ａ，３３ａが設けられている。吐出器１は、管状部３２及びノズル部３３の流路３２ａ，３３ａを介して、収容部１０内の液状物を吐出口Ｄに搬送可能に構成されている。
【００１７】
また、ヘッド部３０は、円筒状の第２筒状部３４を更に有する。第２筒状部３４は、管状部３２の外側に設けられ、管状部３２との間にジョイント部２０の第１筒状部２２を挿通させている。第２筒状部３４は、ヘッド部３０の他の構成と一体として、第１筒状部２２の外周面２２ａに沿ってＺ軸方向上下にスライド移動可能である。
【００１８】
吐出器１は、ポンプ機構（不図示）を備えるポンプ式の吐出器として構成される。つまり、吐出器１は、ポンプ機構の作用によって、使用者がヘッド部３０の頂部３１をＺ軸方向下方に押し込む押圧操作に連動して、収容部１０内の液状物が泡として吐出口Ｄに搬送されるように構成されている。
【００１９】
より詳細に、吐出器１では、ヘッド部３０の頂部３１が押圧操作を受けると、収容部１０内の液状物が流路３２ａ，３３ａなどを介して吐出口Ｄに搬送される。これと同時に、吐出器１では、管状部３２と第２筒状部３４との間の空間から、管状部３２の流路３２ａ内に設けられた混合部３５に空気が供給される。
【００２０】
吐出器１は、収容部１０内の液状物が吐出口Ｄまで搬送される過程において、混合部３５に供給された空気を液状物と混合することで液状物の泡を生成する。つまり、吐出器１は、液状物が吐出口Ｄに到達する前に、液状物を液体から泡に変化させる。これにより、吐出器１は、液状物の泡を吐出口Ｄから吐出することができる。
【００２１】
［仕掛けユニット４０］
本実施形態に係る吐出器１には、その外観上の面白みを演出するための仕掛けユニット４０が設けられている。仕掛けユニット４０には、ヘッド部３０の頂部３１への押圧操作に連動して動作する仕掛けが施されている。以下、図３〜８を参照し、本実施形態に係る吐出器１の仕掛けユニット４０について説明する。
【００２２】
仕掛けユニット４０は、本体部４２と、可動部４３と、を有する。本体部４２は、収容部１０のＸ軸方向前方を向いた正面に貼り付けられ、ヘッド部３０の頂部３１への押圧操作に連動しないパネル部材である。可動部４３は、本体部４２よりも小さいパネル部材であり、収容部１０と本体部４２との間に位置する。可動部４３は、収容部１０及び本体部４２に固定されていない。
【００２３】
また、仕掛けユニット４０は、可撓性を有する薄く細長い帯状のテープ部材である長尺体４１を更に有する。長尺体４１は、支持部４１ａと接続部４１ｂとを有し、支持部４１ａと接続部４１ｂとの間に延びる。長尺体４１は、ヘッド部３０の頂部３１への押圧操作に伴う力を可動部４３に伝達する機能を有する。
【００２４】
より詳細に、長尺体４１は、支持部４１ａにおいて外周面２２ａによる支持を受けるように、第１筒状部２２に固定されている。長尺体４１では、支持部４１ａが外周面２２ａに直接固定されていなくてもよく、例えば、支持部４１ａよりも外側に延出する端部が第１筒状部２２の上縁部や内周面に固定されていてもよい。
【００２５】
また、接続部４１ｂは、本体部４２と収容部１０との間にＺ軸方向上方から進入し、可動部４３のＺ軸方向上端部に接続されている。長尺体４１では、可動部４３に加わる重力によって、支持部４１ａと接続部４１ｂとの間の領域に張力が加わっている。これにより、仕掛けユニット４０では、可動部４３が所定の位置に留まる。
【００２６】
ジョイント部２０では、大径のキャップ部２１が、長尺体４１の支持部４１ａを支持する第１筒状部２２の外周面２２ａから径方向の外側に出っ張っている。このため、図１に示す吐出器１における長尺体４１には、支持部４１ａからキャップ部２１の周縁部に向けて径方向の外側に広がる傾斜領域Ｗが形成される。
【００２７】
図２に示すように、本体部４２には動物の形態が表現された絵柄Ｐが描かれている。また、図３に示すように、本体部４２には、絵柄Ｐにおける動物の両目に対応する位置にそれぞれ開口部４２ａが形成されている。なお、図３では、説明の便宜上、本体部４２の絵柄Ｐが破線によって簡略化して示されている。
【００２８】
図４に示す可動部４３には、動物の両目の形態が表現された２種類の絵柄４３ａ，４３ｂが描かれている。可動部４３では、絵柄４３ｂが絵柄４３ａよりもＺ軸方向下方に位置する。可動部４３における絵柄４３ａ，４３ｂの位置はいずれも、本体部４２の開口部４２ａの位置に対してＹ軸方向に揃っている。
【００２９】
図１及び図２に示す押圧操作前の吐出器１では、図５に示すように、可動部４３の絵柄４３ａが本体部４２の開口部４２ａ内に位置している。これにより、押圧操作前の吐出器１では、図２に示すように、本体部４２に描かれた絵柄Ｐにおいて可動部４３の絵柄４３ａで表現された形態の目を有する動物が視認される。
【００３０】
図１及び図２に示す状態から押圧操作が行われると、図６に示すように、第２筒状部３４のＺ軸方向下端部を構成する規制部３４ａが長尺体４１の傾斜領域Ｗを第１筒状部２２の外周面２２ａとの間に手繰り寄せながらＺ軸方向下方へ移動する。これに伴い、長尺体４１の接続部４１ｂに接続された可動部４３がＺ軸方向上方に引き上げられる。
【００３１】
これにより、図６に示す押圧操作後の吐出器１は、長尺体４１の傾斜領域Ｗに位置する中間部４１ｃが、規制部３４ａと第１筒状部２２の外周面２２ａとの間に挟まれた状態となる。つまり、長尺体４１における支持部４１ａと中間部４１ｃとの間の領域が、第１筒状部２２の外周面２２ａに沿って規制される。
【００３２】
押圧操作後の仕掛けユニット４０では、図７に示すように、可動部４３がＺ軸方向上方に移動することで、絵柄４３ｂが本体部４２の開口部４２ａ内に位置している。これにより、押圧操作後の吐出器１では、図８に示すように、本体部４２に描かれた絵柄Ｐにおいて可動部４３の絵柄４３ｂで表現された形態の目を有する動物が視認されるようになる。
【００３３】
なお、本実施形態に係る仕掛けユニット４０は、可動部４３が長尺体４１と別体として設けられた構成に限定されず、可動部４３が長尺体４１と一体として構成されていてもよい。つまり、仕掛けユニット４０では、長尺体４１に接続部４１ｂを設けることなく、長尺体４１及び可動部４３を単一の部材として形成してもよい。
【００３４】
＜第２の実施形態＞
図９〜１４を参照して、本考案の第２の実施形態に係る吐出器１０１について説明する。吐出器１０１は、仕掛けユニット１４０を有する。本実施形態に係る吐出器１０１では、仕掛けユニット１４０の構成が第１の実施形態に係る仕掛けユニット４０と異なり、その他の構成が第１の実施形態に係る吐出器１と共通する。
【００３５】
仕掛けユニット１４０は、収容部１０のＸ軸方向前方を向いた正面のＺ軸方向下部に設けられた折り返し軸部Ｃを有する。折り返し軸部Ｃは、Ｙ軸方向に延びる軸部材であり、そのＹ軸方向両端部が収容部１０に固定されている。折り返し軸部Ｃは、長尺体４１がスムーズに摺動可能なように構成される。
【００３６】
本実施形態に係る仕掛けユニット１４０は、第１の実施形態に係る仕掛けユニット１４０よりも長い長尺体４１を有する。仕掛けユニット１４０では、長尺体４１が折り返し軸部ＣにおいてＺ軸方向上方に折り返されている。これにより、仕掛けユニット１４０では、長尺体４１の接続部４１ｂがＺ軸方向上方に向けられている。
【００３７】
仕掛けユニット１４０は、本体部１４２と、可動部１４３と、を有する。図１０に示すように、本体部１４２及び可動部１４３は、一体として動物を模した形態を成している。より詳細に、本体部１４２が動物の頭部及び胴体部の形態を有し、可動部１４３が動物の両腕及び両脚の形態を有する。
【００３８】
本体部１４２における胴体部に対応する位置には、４つの接合部Ｒが設けられている。各可動部１４３は、接合部Ｒによって本体部１４２の背面側に回動可能に支持されている。これにより、仕掛けユニット１４０では、本体部１４２と可動部１４３とが一体として動物の形態を認識可能となる。
【００３９】
図１１に示すように、各可動部１４３にはそれぞれ、接合部Ｒよりも内側の位置に孔部Ｈが設けられている。また、仕掛けユニット１４０は、各可動部１４３を連結するための連結部材Ｊを有する。連結部材Ｊは、例えば紐状の長尺部材であり、各可動部１４３の孔部Ｈに挿通されることで可動部１４３同士を連結している。
【００４０】
仕掛けユニット１４０では、長尺体４１の接続部４１ｂがＺ軸方向下側から連結部材Ｊに固定されている。図９及び図１０に示す状態から押圧操作が行われると、図１２に示すように、長尺体４１の接続部４１ｂに連結部材Ｊを介して接続された各可動部１４３の孔部ＨがＺ軸方向下方に引き下げられる。
【００４１】
これにより、各可動部１４３は、図１３に示すように、接合部Ｒを中心として回動することで、外側を向いた先端部がＺ軸方向上方に移動する。これにより、押圧操作後の吐出器１０１では、図１４に示すように、本体部１４２及び可動部１４３の全体として、両手及び両脚を挙げた動物が視認されるようになる。
【００４２】
なお、本実施形態に係る仕掛けユニット１４０では、長尺体４１として例えば可撓性の紐部材を用いることで、長尺体４１を可動部１４３の孔部Ｈに直接結び付けることができる。つまり、この構成の仕掛けユニット１４０では、連結部材Ｊを用いることなく、長尺体４１を可動部１４３に直接接続することができる。
【００４３】
＜その他の実施形態＞
以上、本考案の各実施形態について説明したが、本考案は上述の実施形態にのみ限定されるものではなく、本考案の要旨を逸脱しない範囲内において種々変更を加え得ることは勿論である。
【００４４】
例えば、本考案の吐出器において、ヘッド部に対する押圧操作によって液状物を吐出する機能を得るための構成は上記に限定されず適宜変更可能である。また、本考案の吐出器は、液状物を泡として吐出する構成に限定されず、例えば、液状物を液体のまま吐出する構成や、液状物を霧状に吐出する構成などであってもよい。
【００４５】
また、本考案の吐出器における仕掛けユニットの長尺体は、上記のようなテープ部材や紐部材に限定されず、可撓性を有する細長い部材を広く利用することができる。本考案の仕掛けユニットに利用可能なテープ部材及び紐部材以外の長尺体としては、例えば、可撓性を有するワイヤ部材などが挙げられる。
【００４６】
更に、本考案の吐出器における第１及び第２筒状部の形状は、Ｚ軸に沿って延びる筒状であればよく、上記のような円筒状に限定されない。つまり、本考案の吐出器における第１及び第２筒状部は、例えば、楕円形状や矩形状や多角形状などといった様々な断面形状に形成することができる。
【００４７】
加えて、本考案の吐出器における規制部は、押圧操作時にヘッド部と一体として動作し、長尺体を第１筒状部の外周面との間に挟み込むことができればよい。このため、規制部を構成する部材は、第１筒状部の外周面の少なくとも一部に対向していればよく、必ずしも第２筒状部のように全周にわたって対向している必要はない。
【００４８】
また、本考案の吐出器における仕掛けユニットは、押圧操作に伴う力を長尺体によって可動部に伝達する構成を有していればよく、上記のように可動部を上下方向に動かす構成に限定されない。例えば、仕掛けユニットは、押圧時に伴う力によって可動部を左右方向や斜め方向に動かす構成であってもよい。
【００４９】
更に、本考案の吐出器における仕掛けユニットは、装飾以外の機能を有していてもよい。例えば、仕掛けユニットは、ヘッド部の押し込み量に応じて視認される絵柄が変化する構成とすることができる。これにより、吐出器では、視認される絵柄を目印として液状物の吐出量を定量的に把握することが可能となる。
【符号の説明】
【００５０】
１…吐出器
１０…収容部
２０…ジョイント部
２１…キャップ部
２２…第１筒状部
３０…ヘッド部
３１…頂部
３２…管状部
３２ａ…流路
３３…ノズル部
３３ａ…流路
３４…第２筒状部
３４ａ…規制部
３５…混合部
４０…仕掛けユニット
４１…長尺体
４１ａ…支持部
４１ｂ…接続部
４１ｃ…中間部
４２…本体部
４３…可動部
Ｄ…吐出口
Ｗ…傾斜領域
【図１】
0003225302.tif 000003
【図２】
0003225302.tif 000004
【図３】
0003225302.tif 000005
【図４】
0003225302.tif 000006
【図５】
0003225302.tif 000007
【図６】
0003225302.tif 000008
【図７】
0003225302.tif 000009
【図８】
0003225302.tif 000010
【図９】
0003225302.tif 000011
【図１０】
0003225302.tif 000012
【図１１】
0003225302.tif 000013
【図１２】
0003225302.tif 000014
【図１３】
0003225302.tif 000015
【図１４】
0003225302.tif 000016